(57)【要約】【課題】  線速度の向上という費用対効果の見合わない高速化の方式を見直し、コストアップを伴わずに光ディスクのトータルの記録時間の短縮を図れる光ディスク装置を提供する。【解決手段】  記録型ＤＶＤにデータの記録再生を行う光ディスク装置であって、光ディスクに記されたデータ記録時の最高倍速の情報を識別する手段と、レーザ光を照射する光ピックアップの位置と光ディスクの回転数とを制御する制御手段とを備え、１６倍速記録型光ディスクにデータ記録を行う場合に、当該光ディスクの記録領域の最内周から半径３６．６ｍｍ±５％の位置までを前記基準線速度の８倍の線速度にてデータを記録させ、半径３６．６ｍｍ±５％の位置でディスク回転数を１１０００ｒｐｍ±５％に上げて半径３６．６ｍｍ±５％からデータ記録領域の最外周までを前記基準線速度の１２倍の線速度にてデータを記録させる。【選択図】        図１
2006134445.tif 000002
【特許請求の範囲】
【請求項１】
光ディスクの記録面にレーザ光を照射してデータの記録再生を行う光ディスク装置であって、
光ディスクに記されたデータ記録時の最高倍速の情報を識別する手段と、
レーザ光を照射する光ピックアップの位置と光ディスクの回転数とを制御する制御手段とを備え、
前記制御手段は、
レーザ照射位置の線速度が基準線速度３．４９ｍ／ｓ±５％の１６倍の速度でデータ記録が可能な１６倍速記録型光ディスクにデータ記録を行う場合に、
当該光ディスクの記録領域の最内周から半径３６．６ｍｍ±５％の位置までを前記基準線速度の８倍の線速度にてデータを記録させ、
半径３６．６ｍｍ±５％の位置でディスク回転数を１１０００ｒｐｍ±５％に上げて半径３６．６ｍｍ±５％からデータ記録領域の最外周までを前記基準線速度の１２倍の線速度にてデータを記録させることを特徴とする光ディスク装置。
【請求項２】
光ディスクの記録面にレーザ光を照射してデータの記録再生を行う光ディスク装置であって、
光ディスクに記されたデータ記録時の最高倍速の情報を識別する手段と、
レーザ光を照射する光ピックアップの位置と光ディスクの回転数とを制御する制御手段とを備え、
前記制御手段は、
レーザ照射位置の線速度が基準線速度のＸ倍速を最高とした複数種の倍速でデータ記録が可能な光ディスクにデータ記録を行う場合に、
線速度を前記Ｘ倍速よりも低いY倍速としたときにディスク回転数が１１０００ｒｐｍ±５％となるディスク半径位置からデータ記録領域の最外周までを、前記Ｙ倍速の線速度にてデータを記録させることを特徴とする光ディスク装置。
【発明の詳細な説明】
【技術分野】
【０００１】
この発明は、光ディスクにデータの記録再生を行う光ディスク装置に関し、データの記録時間を短縮する技術に関する。
【背景技術】
【０００２】
現在、記録型のＤＶＤ（デジタル多用途ディスク）には、基準線速度３．４９ｍ／ｓでデータトラック上に記録マークを形成していく１倍速のものから、基準線速度の２倍、３倍、４倍、５倍、８倍、１２倍、１６倍の線速度で記録マークを形成可能なものまでが開発されている。また、光ディスクに照射されるレーザ光の強度や波形などは、各倍速毎にそれぞれ異なり、それぞれが規格化されている。
【０００３】
ところで、１２倍速や１６倍速など高い記録倍速では、ディスク回転数の制限によりディスクの外周側では最高倍速の線速度を実現できるが、ディスクの内周側ではディスクの回転が追いつかずに最高倍速の線速度が出せない状態となる。そのため、高倍速の光ディスクにデータ記録を行う場合には、図６に示すようにディスクの内周側や中盤では、１段や２段低い倍速で記録を行い、高い線速度を実現できる外周側にて最高倍速で記録を行うという記録方式を採るのが一般である。
【０００４】
また、光ディスクには、ディスク自体に共振が発生する共振回転数７８００回転（ｒｐｍ）や、高速回転により各部にかかる大きな加速度によりポリカーボネイトのディスク基板が破壊されてしまう破壊回転数と云った回転数の制約を有していることも知られている。
【０００５】
また、従来、光ディスクの記録や再生時に、ディスクの回転数制御やその他の付随的な処理について工夫する技術について幾つも提案されている（例えば特許文献１〜５）。
【特許文献１】特開２００２−２５１８１７号公報
【特許文献２】特開２００３−３２３７５８号公報
【特許文献３】特開２００２−３２４３２２号公報
【特許文献４】特開２００４−１６４７８８号公報
【特許文献５】特許第３５２９０１７号公報
【発明の開示】
【発明が解決しようとする課題】
【０００６】
一般に、光ディスクへデータを記録している途中で記録倍速を変更する場合、単に回転速度やレーザ光の照射方式を変更するだけでは不十分であり、一旦、光ピックアップをディスクの最内周或いは最外周（半径５７ｍｍ〜５８ｍｍ）に確保されたＯＰＣ（Optical Power Calibration）領域に移動させて、次に変更される記録倍速で試し書きを行ってレーザパワー等の最適化を行うOＰＣ（Optimum Power Control）処理が実行される。
【０００７】
このようなＯＰＣ処理はピックアップの移動を伴うため時間ロスが比較的大きく、例えば、ディスクの僅かな領域だけ高い倍速で記録するのであれば、高速記録による時間の短縮よりもそのために必要なＯＰＣ処理に費やされる時間の方が長くなってしまうことがある。
【０００８】
また、図４に示すように、記録の線速度を高速にすれば、その分、光ピックアップのトラッキングエラー信号に現われる残留エラー信号ＥＲが大きくなるのが通常である。具体的には、この残留エラー信号ＥＲはデータトラックにかかる加速度に比例し、すなわち線速度の２乗で大きくなる。残留エラー信号ＥＲは大きくなるとトラッキングサーボが外れてしまうためサーボが外れないように所定値（例えば０．０３μm）以下にする必要があるが、残留エラー信号ＥＲを小さくするには、レンズアクチュエータの応答性能を高めなければならない。しかしながら、残留エラー信号ＥＲは線速度の２乗で大きくなっていくため、記録速度を少し上げるために、レンズアクチュエータの応答性能は相当量向上させる必要がある。つまり、記録速度を少し上げると云った小さな効果と比較して、その開発コストや部品コストは膨大なものになるという問題がある。
【０００９】
また、従来、高速回転によるディスク基板の破壊を回避するために光ディスクの最大回転数は１万回転（ｒｐｍ）以下にすると云う決まりが一般的であったが、本発明者らは破壊を避けるためにマージンを必要量とった場合でも最大回転数をもっと上げられることを見出した。
【００１０】
この発明の目的は、線速度の向上という費用対効果の見合わない高速化の方式を見直し、コストアップを伴わずに光ディスクのトータルの記録速度を向上できる光ディスク装置を提供することにある。
【課題を解決するための手段】
【００１１】
本発明は、上記目的を達成するため、光ディスク（例えば記録型のＤＶＤ）の記録面にレーザ光を照射してデータの記録再生を行う光ディスク装置であって、光ディスクに記されたデータ記録時の最高倍速の情報を識別する手段と、レーザ光を照射する光ピックアップの位置と光ディスクの回転数とを制御する制御手段とを備え、前記制御手段は、レーザ照射位置の線速度が基準線速度３．４９ｍ／ｓ±５％の１６倍の速度でデータ記録が可能な１６倍速記録型光ディスクにデータ記録を行う場合に、当該光ディスクの記録領域の最内周から半径３６．６ｍｍ±５％の位置までを前記基準線速度の８倍の線速度にてデータを記録させ、半径３６．６ｍｍ±５％の位置でディスク回転数を１１０００ｒｐｍ±５％に上げて半径３６．６ｍｍ±５％からデータ記録領域の最外周までを前記基準線速度の１２倍の線速度にてデータを記録させる構成とした。
【００１２】
このような手段によれば、最外周の僅かな領域だけ１６倍速で記録する場合と比較して、１２倍から１６倍に切り替える際のＯＰＣ処理が不要な分、トータルの記録時間は同等またはそれ以下に短縮することが出来る。さらに、１６倍速に対応するサーボ性能も不要となることから効果に見合わない無駄な開発コストや部品コストの高騰を抑えることが出来る。さらに、ディスクの最大回転数を１１０００ｒｐｍ±５％としてディスク内周側の早い段階から１２倍速に移行するので、これによりトータルの記録時間をより短縮することが出来る。
【００１３】
また、上記のような構成は、記録型ＤＶＤなどの光ディスクの記録のみに限られるものではなく、同様に複数種の倍速で記録が可能な光ディスクにおいて、最高のＸ倍速での記録を使わずに、ディスクの最大回転数を１１０００ｒｐｍ±５％とし、最高のＸ倍速より１段遅いＹ倍速の記録で最外周まで記録するようにすることで、上記と同様の作用・効果を得ることが出来る。
【発明の効果】
【００１４】
以上説明したように、本発明に従うと、トータルの記録時間を比較した場合に、最高倍速での記録を行うのと同等またはそれ以下に時間短縮を図れるとともに、最高倍速で記録を行うのに必要な無駄な開発コストや部品コストを省くことが出来るという効果がある。
【発明を実施するための最良の形態】
【００１５】
以下、本発明の実施の形態を図面に基づいて説明する。
【００１６】
この実施の形態の光ディスク装置は、ＤＶＤ±Ｒ，ＤＶＤ±ＲＷ，ＤＶＤ−ＲＡＭと呼ばれる記録型ＤＶＤに対してデータの記録および再生を行う装置であり、その機械的な構成および光学的な構成は従来の装置と同様のものである。
【００１７】
すなわち、図示は省略するが、この実施形態の光ディスク装置には、光ディスクを高速回転させるスピンドル機構と、半導体レーザや光センサや各種光学系ならびに対物レンズをフォーカス方向やトラッキング方向に高速に微少変位させるレンズアクチュエータなどを備えた光ピックアップと、光ピックアップをディスク半径方向に移動させる搬送機構と、半導体レーザ、スピンドル機構、搬送機構の駆動制御を行う制御回路と、記録データや再生データの処理を行う信号処理回路などが設けられている。
【００１８】
そして、記録型のＤＶＤがローディングされた場合には、先ず、この光ディスクのディスクＩＤが記録されている領域に光ピックアップを移動させてデータ再生を行い、そこから光ディスクの記録方式の情報や対応倍速の情報が読み込まれてそれらが認識されるようになっている。これらの仕組みは従来公知のものなので詳細な説明は省略する。
【００１９】
図１には、本発明の実施の形態の光ディスク装置において１６倍速ＤＶＤへデータ記録を行う際のディスク回転数を表したグラフを示す。また、図２には、光ディスクの各領域を説明する図を、図３には各記録倍速と線速度の対応表をそれぞれ示す。
【００２０】
この実施の形態の光ディスク装置においては、１６倍速の記録型ＤＶＤに対して次のような方式でデータ記録を行う。すなわち、データ記録が可能なプログラム領域ＰＡのうちディスクの内周側より８倍速の線速度で記録を開始し、半径３６．６ｍｍの位置までＣＬＶ（Constant Linear Velocity）方式により８倍速の線速度で記録を続ける。
【００２１】
８倍速の線速度は２７．９ｍ／ｓ（図３参照）であり、光ディスクの回転数は半径２５ｍｍの記録位置で１００００回転を超えた状態から、記録位置が外周側に移るのに従って徐々に下がり半径３６．６ｍｍの記録位置で７８００回転より低いものとなる。
【００２２】
そして、半径３６．６ｍｍの記録位置に来たら、一旦、半径５７ｍｍ〜５８ｍｍのＯＰＣ領域ＰＣＡまで光ピックアップを移動させ、１２倍速の線速度でＯＰＣ処理を行いレーザ光のパワーの最適化調整を行う。
【００２３】
このＯＰＣ処理が済んだら、再び、光ピックアップを半径３６．６ｍｍの記録位置まで移動させ、１２倍速の線速度で記録を再開する。そして、この位置からプログラム領域ＰＡの最大半径５７ｍｍの記録位置にかけてＣＬＶ方式により１２倍速の線速度で記録を実行する。１２倍速の線速度は４１．８ｍｍ（図３参照）であり、光ディスクの回転数は３６．６ｍｍの記録位置で１１０００回転、記録位置が外周側に移動するのに伴って徐々に下がって半径５７ｍｍの記録位置で７８００回転より低い回転数となる。
【００２４】
図４には、１２倍速以下と１６倍速の動作時のトラッキングエラー信号の波形図を示す。
【００２５】
データの記録方式の一つとして、プログラム領域の内周側から外周側までらせん状に繋がっている１本のデータトラックに対して、１回転分のデータトラックに記録を行ったら前のデータトラックに移行して正しくデータが記録されているか検証（ベリファイ）すると云った記録方式がある。このような記録方式を行った場合には、図４に示すように、回転パルスＵの出力時に１つトラックをまたぐため、このときトラッキングエラー信号は大きな出力となるが、２個の回転パルスＵ，Ｕの間で１本のデータトラック上を進んでいるときにはレンズアクチュエータによる対物レンズのトラッキングサーボが働いてノイズとなる残留エラー信号ＲＥの大きさは０．０３μｍ以下（例えば０．０２４μｍ以下）に抑えられる。
【００２６】
しかしながら、１６倍速の速さで光ディスクを回転させた場合、この残留エラー信号ＲＥは記録位置の加速度に比例するため１２倍速のときの１．８倍の大きさとなる。そして、現状のレンズアクチュエータでは０．０３μｍを超えて、トラッキングサーボが外れることが多く発生する状態にある。また、１６倍速のときの残留エラー信号ＥＲの大きさを０．０３μｍ以下にするにはレンズアクチュエータのサーボ特性を相当改善する必要があり、現状においては困難性を有している。
【００２７】
図５には、光ディスクの回転数と各部にかかる加速度の関係を表したグラフを示す。
【００２８】
光ディスクは、回転により各部に半径方向の加速度ａがかかり、その大きさは回転数の２乗で大きくなる。そして、この加速度ａが一定以上になるとポリカーボネイトからなるディスク基板に破壊が生じ、その回転数は約１３０００回転である。また、ディスク基板に傷等がある場合には、それより小さな加速度ａで破壊が生じるため、安全マージンを入れてディスク装置の回転数を最高１１０００回転とすることで、光ディスクの破壊を無視できる程度のごく僅かな確率以下とすることが出来る。
【００２９】
従って、上記実施の形態によれば、１６倍速の光ディスクに対して、図１の記録方式によりデータ記録を行うことで、レンズアクチュエータのサーボ特性を１６倍速に対応させると云った無駄な開発コストや部品コストを招くことなく、且つ、高速回転によりディスク基板が破壊する確率も無視できる程度に小さいまま、ＯＰＣ処理が２度必要な一般的な１６倍速の記録方式（図６参照）と比較して、同等若しくはそれ以上にトータルの記録時間を短くすることが出来る。
【００３０】
なお、本発明は、上記実施の形態に限られるものではなく、例えば、８倍速から１２倍速に切り替える半径、最高回転数、８倍速や１２倍速記録時の線速度は、実施の形態で示した値の１〜２％の誤差や３〜５％の誤差は本発明に含まれるものである。
【００３１】
また、上記実施の形態では記録型ＤＶＤへの記録方式について説明したが、例えばＨＤ（High Definition）ＤＶＤなどにおいても、外周部において８０００回転〜１００００回転で記録を行う最高倍速の規定がなされた場合に、本実施の形態のように、最高倍速での記録を行うことなく、最高倍速より例えば１段低い倍速を用いて途中で１１０００回転まで上げて最外周まで記録を行うという方式を用いることにより、上記実施の形態によるものと同様の作用効果を奏することが出来る。
【図面の簡単な説明】
【００３２】
【図１】本発明の実施の形態の光ディスク装置におけるデータ記録時の記録位置とディスク回転数の関係を表したグラフである。
【図２】光ディスクの記録領域とＯＰＣ領域の一例を示した図である。
【図３】記録倍速と線速度との関係を示す表である。
【図４】１回転ごとに出力される回転パルスと１２倍速以下と１６倍速の動作時のトラッキングエラー信号を示す波形図である。
【図５】光ディスクの回転数と各部にかかる加速度の関係を示したグラフである。
【図６】従来の光ディスク装置における１６倍速光ディスクへのデータ記録時の記録位置とディスク回転数の関係を表したグラフである。
【符号の説明】
【００３３】
１０      光ディスク
ＰＡ      プログラム領域
ＰＣＡ    ＯＰＣ領域
【図１】
2006134445.tif 000003
【図２】
2006134445.tif 000004
【図３】
2006134445.tif 000005
【図４】
2006134445.tif 000006
【図５】
2006134445.tif 000007
【図６】
2006134445.tif 000008